(57)【要約】【課題】セキュリティ機能を高めたフラッシュディスクのカスケード接続構造を開示する。【解決手段】このカスケード構造は、複数のデータディスクと１つのキーディスクとを具備する。データディスクは、それぞれ、パブリックゾーンと、キーディスクとマッチするプライベートゾーンとを有する。キーディスクがデータディスクと直列に接続されると、プライベートゾーンが表示され、キーディスクのパブリックプログラムによってロード又は保存される。従って、プライベートゾーンにデータを保持し隠すことができるので、他の不正ユーザーはプライベートゾーンのデータが盗用することができない。【選択図】図２
2011034557.tif 000002
【特許請求の範囲】
【請求項１】
複数のデータディスクとキーディスクとを具備するセキュリティ機能を高めたフラッシュディスクのカスケード接続構造であって、前記データディスクの１つは少なくともパブリックゾーンと前記キーディスクにマッチするプライベートゾーンに区画され、前記キーディスクは前記データディスクに直列に接続され、前記キーディスクのパブリックプログラムによって、前記プライベートゾーンを表示しアクセス可能とすることを特徴とするセキュリティ機能を高めたフラッシュディスクのカスケード接続構造。
【請求項２】
前記キーディスクと前記データディスクは、実質的に同一の外観構成を有することを特徴とする請求項１記載のセキュリティ機能を高めたフラッシュディスクのカスケード接続構造。
【請求項３】
前記各データディスクは、前記データディスク間及び前記データディスクと前記キーディスク間の直列接続用のＵＳＢアダプタポートを具備することを特徴とする請求項２記載のセキュリティ機能を高めたフラッシュディスクのカスケード接続構造。
【請求項４】
前記パブリックゾーンと前記プライベートゾーンの両方のメモリーサイズは、前記パブリックプログラムによって再区画可能であることを特徴とする請求項１記載のセキュリティ機能を高めたフラッシュディスクのカスケード接続構造。
【請求項５】
前記パブリックプログラムは、再区画の際に、図形表示されることを特徴とする請求項４記載のセキュリティ機能を高めたフラッシュディスクのカスケード接続構造。
【請求項６】
前記パブリックゾーンは標準仕様と対応するメモリーサイズを有することを特徴とする請求項１記載のセキュリティ機能を高めたフラッシュディスクのカスケード接続構造。
【発明の詳細な説明】
【技術分野】
【０００１】
本発明は、静電ストレージ装置、特に、セキュリティ機能を高めたフラッシュディスクのカスケード接続構造に関する。
【背景技術】
【０００２】
豊富な情報と日々に進歩する技術の下、フラッシュディスクやポータブルハードディスク等のような各種のストレージ装置に保存されるデジタルデータは増大している。その軽量さや持ち運びの容易性に鑑み、情報関連事業に不可欠なものとして、従来のフロッピディスクやハードディスクに代わってフラッシュディスクが徐々に一般に用いられるようになっている。
【０００３】
しかし、その便利な持ち運び容易性と、プラグを差し込むだけで作動できる特性によって、小型で優れた外観デザインを有する従来のフラッシュディスクは、ユーザーの便利性を高めることができる半面、その内部データが容易に他人に使用される又は盗用されるといった問題を通常有している。一人の不正ユーザーによって盗用された従来のフラッシュディスクは、内部に保存したデータを隠す機能はもちろん書き込み保護機能も有するにもかかわらず、内部データが完全に漏出する場合がある。さらに、本来１つのフラッシュディスクによってプラグ接続される１つのＵＳＢに設けられる特別な多重ポートコネクターが設けられているにもかかわらず、単一のＵＳＢポートによって多数のフラッシュディスク中のデータへの同時アクセスを可能とするため、従来のＵＳＤフラッシュディスクに保存されているデータが不正にコピーされたり、復元される事態が未だに不可避となっている。
【先行技術文献】
【特許文献】
【０００４】
【特許文献１】特開２００９−２１９０８４号公報
【発明の概要】
【０００５】
上記した問題を回避するために、本発明の主たる目的は、少なくとも２つのカスケードモードでフラッシュディスク中のデータのセキュリティを確保する機能を高め、不正使用者による盗用を防止することによって、保護されたデータのセキュリティ機能を高めたフラッシュディスクのカスケード接続構造を提供することにある。
【０００６】
本発明の他の目的は、容易に理解できる表示方法及び簡単な操作方法で容易に利用できる、セキュリティ機能を高めたフラッシュディスクのカスケード接続構造を提供することにある。
【０００７】
本発明の目的及び問題を解決するための技術は、以下に示す技術的特徴によって具体化される。本発明のセキュリティ機能を高めたフラッシュディスクのカスケード接続構造の一例として、複数のデータディスクとキーディスクとを具備し、データディスクの１つは、少なくともパブリックゾーンとプライベートゾーンに区画され、プライベートゾーンはキーディスクにマッチし、キーディスクには、キーディスクがデータディスクに直列に接続された場合に、プライベートゾーンを表示しアクセス可能とするようにパブリックプログラムがインストールされていることを特徴とする。
【０００８】
本発明の上記した目的、他の目的及び課題を解決するための技術は、以下の構成によって具現化される。
上記したフラッシュディスクのカスケード接続構造において、キーディスクは、データディスクと実質的に同一の外観特性を有する。
上記したフラッシュディスクのカスケード接続構造において、各データディスクは、データディスク間及びデータディスクとキーディスク間の直列接続用のＵＳＢアダプタポートを具備する。
【０００９】
上記したフラッシュディスクのカスケード接続構造において、パブリックゾーンとプライベートゾーンの両方のメモリーサイズは、パブリックプログラムによって再区画可能である。
上記したフラッシュディスクのカスケード接続構造において、パブリックプログラムは、再区画の際に１つのウィンドウで図形表示されている。
上記したフラッシュディスクのカスケード接続構造において、パブリックゾーンは標準仕様に対応するメモリーサイズを有する。
【００１０】
上記した構成によって、本発明に係るセキュリティ機能を高めたフラッシュディスクのカスケード接続構造は、以下の効果を奏する。
１．１つの技術的手段として、データディスクとキーディスクによって特定の組み合わせを形成し、データディスクにキーディスクと対応するプライベートゾーンを区画形成し、キーディスクのパブリックプログラムによってプライベートゾーンの表示とアクセスを可能とし、不正ユーザーが、紛失した又は盗まれたデータディスクのプライベートゾーンに保存されているデータを読み取ったりするのを禁止し、又は、不正ユーザーの盗用からデータを保護する一般的なカスケードフラッシュディスクとして用いることができる。
【００１１】
２．１つの技術的手段として、データディスクと、キーディスクを、データディスク間又はデータディスクとキーディスク間の直列接続用にデータディスク上に設けられたＵＳＢアダプタポートと共に特定の組み合わせを形成することによって、メモリ容量の増大を図ると共に、キーディスクを用いた制御によってデータを表示したり秘匿することができる。
【００１２】
３．１つの技術的手段として、データディスクとキーディスクによって特定の組み合わせを形成し、再区画の際、パブリックプログラムをウィンドウに図形表示することによって、容易に理解できる表示を提供すると共に、簡単なアプリケーションによってユーザーの操作が容易となる。
【図面の簡単な説明】
【００１３】
【図１】本発明に係るフラッシュディスクのカスケード接続構造の一実施例を示す斜視図である。
【図２】本発明に係るフラッシュディスクのカスケード接続構造の一実施例を示すブロック図である。
【図３】本発明に係るフラッシュディスクのカスケード接続構造の一実施例におけるデータディスクの部分図である。
【図４】本発明に係るフラッシュディスクのカスケード接続構造の一実施例における１つのコンピュータによって作動されるパブリックプログラムのページ用の概略図である。
【図５】本発明に係るフラッシュディスクのカスケード接続構造の一実施例における１つのコンピュータによって作動されるパブリックプログラムのページ用の概略図である。
【図６】本発明に係るフラッシュディスクのカスケード接続構造の一実施例における１つのコンピュータによって作動されるパブリックプログラムのページ用の概略図である。
【図７】本発明に係るフラッシュディスクのカスケード接続構造の一実施例における１つのコンピュータによって作動されるパブリックプログラムのページ用の概略図である。
【図８】本発明に係るフラッシュディスクのカスケード接続構造の一実施例における１つのコンピュータによって作動されるパブリックプログラムのページ用の概略図である。
【図９】本発明に係るフラッシュディスクのカスケード接続構造の一実施例における１つのコンピュータによって作動されるパブリックプログラムのページ用の概略図である。
【図１０】本発明に係るフラッシュディスクのカスケード接続構造の一実施例における１つのコンピュータによって作動されるパブリックプログラムのページ用の概略図である。
【図１１】本発明に係るフラッシュディスクのカスケード接続構造の一実施例における１つのコンピュータによって作動されるパブリックプログラムのページ用の概略図である。
【図１２】本発明に係るフラッシュディスクのカスケード接続構造の一実施例における１つのコンピュータによって作動されるパブリックプログラムのページ用の概略図である。
【図１３】本発明に係るフラッシュディスクのカスケード接続構造の一実施例における１つのコンピュータによって作動されるパブリックプログラムのページ用の概略図である。
【図１４】本発明に係るフラッシュディスクのカスケード接続構造の一実施例における１つのコンピュータによって作動されるパブリックプログラムのページ用の概略図である。
【図１５】本発明に係るフラッシュディスクのカスケード接続構造の一実施例における１つのコンピュータによって作動されるパブリックプログラムのページ用の概略図である。
【図１６】本発明に係るフラッシュディスクのカスケード接続構造の一実施例における１つのコンピュータによって作動されるパブリックプログラムのページ用の概略図である。
【図１７】本発明に係るフラッシュディスクのカスケード接続構造の一実施例における１つのコンピュータによって作動されるパブリックプログラムのページ用の概略図である。
【図１８】本発明に係るフラッシュディスクのカスケード接続構造の一実施例における１つのコンピュータによって作動されるパブリックプログラムのページ用の概略図である。
【図１９】本発明に係るフラッシュディスクのカスケード接続構造の一実施例における１つのコンピュータによって作動されるパブリックプログラムのページ用の概略図である。
【図２０】本発明に係るフラッシュディスクのカスケード接続構造の一実施例における１つのコンピュータによって作動されるパブリックプログラムのページ用の概略図である。
【図２１】本発明に係るフラッシュディスクのカスケード接続構造の一実施例における１つのコンピュータによって作動されるパブリックプログラムのページ用の概略図である。
【図２２】本発明に係るフラッシュディスクのカスケード接続構造の一実施例における１つのコンピュータによって作動されるパブリックプログラムのページ用の概略図である。
【図２３】本発明に係るフラッシュディスクのカスケード接続構造の一実施例における１つのコンピュータによって作動されるパブリックプログラムのページ用の概略図である。
【図２４】本発明に係るフラッシュディスクのカスケード接続構造の一実施例における１つのコンピュータによって作動されるパブリックプログラムのページ用の概略図である。
【図２５】本発明に係るフラッシュディスクのカスケード接続構造の一実施例における１つのコンピュータによって作動されるパブリックプログラムのページ用の概略図である。
【図２６】本発明に係るフラッシュディスクのカスケード接続構造の一実施例における１つのコンピュータによって作動されるパブリックプログラムのページ用の概略図である。
【図２７】本発明に係るフラッシュディスクのカスケード接続構造の一実施例における１つのコンピュータによって作動されるパブリックプログラムのページ用の概略図である。
【図２８】本発明に係るフラッシュディスクのカスケード接続構造の一実施例における１つのコンピュータによって作動されるパブリックプログラムのページ用の概略図である。
【図２９】本発明に係るフラッシュディスクのカスケード接続構造の一実施例における１つのコンピュータによって作動されるパブリックプログラムのページ用の概略図である。
【図３０】本発明に係るフラッシュディスクのカスケード接続構造の一実施例における１つのコンピュータによって作動されるパブリックプログラムのページ用の概略図である。
【図３１】本発明に係るフラッシュディスクのカスケード接続構造の一実施例における１つのコンピュータによって作動されるパブリックプログラムのページ用の概略図である。
【図３２】本発明に係るフラッシュディスクのカスケード接続構造の一実施例における１つのコンピュータによって作動されるパブリックプログラムのページ用の概略図である。
【図３３】本発明に係るフラッシュディスクのカスケード接続構造の一実施例における１つのコンピュータによって作動されるパブリックプログラムのページ用の概略図である。
【図３４】本発明に係るフラッシュディスクのカスケード接続構造の一実施例における１つのコンピュータによって作動されるパブリックプログラムのページ用の概略図である。
【図３５】本発明に係るフラッシュディスクのカスケード接続構造の一実施例における１つのコンピュータによって作動されるパブリックプログラムのページ用の概略図である。
【図３６】本発明に係るフラッシュディスクのカスケード接続構造の一実施例における１つのコンピュータによって作動されるパブリックプログラムのページ用の概略図である。
【図３７】本発明に係るフラッシュディスクのカスケード接続構造の一実施例における１つのコンピュータによって作動されるパブリックプログラムのページ用の概略図である。
【図３８】本発明に係るフラッシュディスクのカスケード接続構造の一実施例における１つのコンピュータによって作動されるパブリックプログラムのページ用の概略図である。
【図３９】本発明に係るフラッシュディスクのカスケード接続構造の一実施例における１つのコンピュータによって作動されるパブリックプログラムのページ用の概略図である。
【図４０】本発明に係るフラッシュディスクのカスケード接続構造の一実施例における１つのコンピュータによって作動されるパブリックプログラムのページ用の概略図である。
【図４１】本発明に係るフラッシュディスクのカスケード接続構造の一実施例における１つのコンピュータによって作動されるパブリックプログラムのページ用の概略図である。
【図４２】本発明に係るフラッシュディスクのカスケード接続構造の一実施例における１つのコンピュータによって作動されるパブリックプログラムのページ用の概略図である。
【図４３】本発明に係るフラッシュディスクのカスケード接続構造の一実施例における１つのコンピュータによって作動されるパブリックプログラムのページ用の概略図である。
【図４４】本発明に係るフラッシュディスクのカスケード接続構造の一実施例における１つのコンピュータによって作動されるパブリックプログラムのページ用の概略図である。
【図４５】本発明に係るフラッシュディスクのカスケード接続構造の一実施例における１つのコンピュータによって作動されるパブリックプログラムのページ用の概略図である。
【図４６】本発明に係るフラッシュディスクのカスケード接続構造の一実施例における１つのコンピュータによって作動されるパブリックプログラムのページ用の概略図である。
【発明を実施するための形態】
【００１４】
本発明の詳細な実施例を、添付図を参照して以下説明する。添付図は本発明の基礎的構成又は実施例を概念的に示す簡略図であり、従って、添付図では、発明構成要素（理解を容易にするため、他の関連寸法と異なり、これらの発明構成要素の数、形、大きさは均衡をとって記載しておらず、また、幾つかの寸法は拡大もしくは単純化している）及びこれらの発明構成要素の組み合わせのみが記載されていることに留意願いたい。ここに典型例として選択的に記載される配置と比較した場合、発明構成要素の数、形、大きさに関して、実際の構造における構成要素のレイアウトの詳細は、複雑になり得る。
【００１５】
斜視図である図１及びブロック図である図２を参照して説明する。図１、図２は本発明の実施例に係るセキュリティ機能を高めたフラッシュディスクのカスケード接続構造を示し、カスケード接続構造は、複数のデータディスク１１０と、キーディスク１２０とを具備する。
【００１６】
データディスク１１０の少なくとも１つは、パブリックゾーン１１１と、キーディスクにマッチするプライベートゾーン１１２とに区画(partitioned)されている。データを供給するパブリックゾーン１１１へのアクセスを可能とすることによって、各データディスク１１０は一般のフラッシュディスクと同じ機能を有する。キーディスク１２０がデータディスク１１０に直列に接続されると、キーディスク１２０にインストールされたパブリックプログラム１２１によって、プライベートゾーン１１２が表示され、プライベートゾーン１１２へのアクセスが可能となる。
【００１７】
ここで、データディスク１１０とキーディスク１２０上にそれぞれ設けられたＵＳＢアダプタポート１１３とＵＳＢコネクタ１２２は、データディスク間、及びキーディスク１２０とデータディスク１１０間を直列に接続するためのインターフェースを構成する。実際の製品では、キーディスク１２０の外観は、データディスク１１０の外観と同一である。例えば、好ましい１実施例を示す図１において、キーディスク１２０とデータディスク１１０は、ともに、矩形立体形状の外観を有する。他の実施例として、キーディスク１２０とデータディスク１１０の外観を、共に、筒状、立方体形状、もしくはその他のオリジナルの形状とすることもできる。
【００１８】
さらに、フラッシュディスク１１０のカスケード接続構造では、パブリックゾーン１１１のメモリーサイズとプライベートゾーン１１２のメモリーサイズとは、パブリックプログラム１２１によって再区画され、このパブリックプログラム１２１は再区画の際に１つのウィンドウに図形表示される。また、この構成は、１人のユーザー自身によって重要なデータを管理し秘匿できること、及び、グラフウィンドウインターフェース（下記に示す）を用いたユーザーによる簡単な操作を図る上で共に好ましい。
【００１９】
実際に、パブリックゾーン１１１は標準メモリーサイズを有し、例えば、５１２Ｍ、１Ｇ，２Ｇ，４Ｇもしくは８Ｇのメモリーサイズを有する。より好ましくは、パブリックゾーン１１１のメモリーサイズは、ユーザーの好ましい仕様に調整することができる。更に、キーディスク１２０を有しない不正ユーザーは、紛失した又は盗まれたデータディスク１１０中のパブリックゾーン１１１のみ読みまたは閲覧することができ、プライベートゾーン１１２を読みまたは閲覧することができない。
【００２０】
また、他のユーザーは、拾得した紛失物であるデータディスク１１０を、一般のカスケードフラッシュディスクであると誤って認識することになる。このように、本発明は、１人のユーザーによって秘匿されたデータが容易に開示されないようにしているため、機密業務データにおけるデータアクセスとセキュリティーに適用することができる。
【００２１】
図３に示すように、各データディスク１１０は、具体的には、少なくともケース１１５と、ＵＳＢコネクタ１１４と、基板１１６と、メモリーチップ１１７と、パッケージ１１８とを具備する。好ましい実施例において、プラスチック材にて製造されたケース１１５は、小さい積み木ブロックのような矩形の外観を有しており、使用の際に、ユーザーは容易にデータディスク１１０をつかみ、直列に接続することができる。
【００２２】
さらに、基板１１６の内面１１６Ａに設けられたメモリーチップ１１７とコントローラーチップとは、基板１１６の内面１１６Ａ上に同様に設けられたパッケージ１１８によって封止され、メモリーチップ１１７とパッケージ１１８の両方は、ケース１１５内に配置される。
【００２３】
基板１１６の外面１１６Ｂの両側には、ＵＳＢコネクタ１１４とＵＳＢアダプタポート１１３に向けてそれぞれ伸延する複数のＵＳＢ接触フィンガー１１４Ａと複数のＵＳＢアダプタフィンガー１１３Ａが設けられる。ＵＳＢ接触フィンガー１１４Ａはメモリーチップ１１７と電気的に接続され、ＵＳＢ接触フィンガー１１４Ａの拡張端子であるＵＳＢアダプタフィンガー１１３Ａは、他のデータディスク１１０のＵＳＢ接触フィンガー１１４Ａと電気的に接続されている。ＵＳＢ接触フィンガー１１４ＡとＵＳＢアダプタフィンガー１１３Ａは同一形状を有する。
【００２４】
この実施例において、メモリーチップ１１７は、電源が遮断された場合においてもデータが失われないフラッシュメモリである。したがって、本発明のデータディスク１１０は、カスケード接続によって拡張されたメモリによる効果を獲得することができると共に、データディスク１１０に対応するキーディスク１２０の使用によって、データディスク１１０のプライベートゾーン１１２に保存されたデータを保護することができる。
【００２５】
起動と初期化のページ
図４から図６は、ウィンドウズ（登録商標）ＯＳ上で、本発明に係るセキュリティ機能を高めたフラッシュディスク１００のカスケード接続構造に加えられるソフトウェアを例示する。即ち、本発明に係るパブリックプログラム１２１がキーディスク１２０にインストールされ、同パブリックプログラム１２１は、フラッシュディスク１００のカスケード接続構造において、ハードウェアに基づくデータセキュリティ機能を高めるために自動的に実行される。本発明において、キーディスク１２０に対応するデータディスク１１０内の２つの領域、即ち、パブリックゾーン１１１とプライベートゾーン１１２は、キーディスク１２０にインストールされているパブリックプログラム１２１を用いて１人のユーザーが設計して、プラグ・アンド・プレイのほかに、カスケード接続されたデータディスク１１０の直接の管理もできるようにしている。
【００２６】
更に、データディスク１１０の一部をプライベートゾーン１１２として区画することができるので、データディスク１１０の１つを、同データディスク１１０に対応するキーディスク１２０に直列に接続することによって、プライベートゾーン１１２に保存されているファイルを表示することができる。対応するキーディスク１２０をデータディスク１１０に直列接続できない場合、ユーザーは、パブリックゾーン１１１内のファイルのみチェックかつアクセスでき、プライベートゾーン１１２に保存されている秘匿のファイルは、ウィンドウズ（登録商標）ＯＳには表示されない。
【００２７】
再度、図１に示されるように、本実施例において、フラッシュディスク１００のカスケード接続構造は、２つのデータディスク１１０及びデータディスク１１０と対応するキーディスク１２０とを具備する。しかし、他の実施例として、フラッシュディスク１００のカスケード接続構造は、キーディスク１２０を多数の（２つ、もしくは３つ以上）データディスク１１０に直列に接続するようにしてもよい。
【００２８】
詳細には、製品として出荷される前に、パブリックプログラム１２１はキーディスク１２０にインストールされている。データディスク１１０内のデータをパブリックゾーンとプライベートゾーンに区画又は割り当てる方法を、図を参照して、以下説明する。
【００２９】
フラッシュディスク１００のカスケード接続構造がコンピュータのＵＳＢポートに差し込まれると、パブリックプログラム１２１が自動的にアクティブとなり、実行される。本実施例において、データディスク１１０の前部を露出した１つのＵＳＢコネクタが、コンピュータの１つのＵＳＢポートに結合される。パブリックプログラム１２１の初期化のページを表示する図４において、「ＵＳＢ情報を読込中…」というメッセージは、システムが、データディスク１１０に関連する情報を読み込んでいる最中であることを意味する。パブリックプログラムが完全にアクティブになると、初期化のページが、図４に表示されるページから図５に表示されるページへと変わる。
【００３０】
図５は、プライベートゾーンが区画されていない２つのデータディスク（ＧとＨ）を示す。ドライブＧに相当する第１データディスクは容量９５５メガバイトのパブリックゾーンを有するが、プライベートゾーンは有さない。ドライブＨに相当する第２データディスクは容量９５５メガバイトのパブリックゾーンを有するが、プライベートゾーンは有さない。図６は、キーディスクに直列接続されたデータディスク（Ｈ）が１つだけであることを示し、図７はデータディスクがなくキーディスクだけが接続されている場合であり、「ＵＳＢドライブがありません」というメッセージが表示される。
【００３１】
更に、他の形態を図８に示す。図８は、第２データディスク（Ｈ）がシステムによってプライベートゾーンとパブリックゾーンとに再区画することができない場合であり、「USBドライブがドックされていません」というメッセージが表示される。これは、第２データディスク（Ｈ）に既に存在するプライベートゾーンは、現在直列接続されているキーディスクによって区画されていないからである。したがって、データディスクのプライベートゾーンは、対応しない(unmatched)キーディスクを用いた場合には表示されず、本発明に係る直列接続された正確に対応する (matched)キーディスクを用いた場合には、データディスクのプライベートゾーンは表示される。
【００３２】
要するに、「USBドライブがドックされていません」と表示されたメッセージは、データディスクとキーディスクは異なるグループに分類されている場合、異なるグループに属するキーディスクを用いては、データディスクのプライベートゾーン内のファイルは管理することはできないことを意味する。
【００３３】
初期化のページを表している図９に示すように、オペレーティングシステムのシステムトレイには、小さいアイコンが更に一つ追加されており、このアイコンはパブリックプログラム１２１がアクティブになったことを示す。図１０に示すように、１人のユーザーが初期化のウィンドウの[Close]ボタンを押すと、パブリックプログラムは、直ちに画面から隠された状態となるが、すぐに動作が停止されるわけではない。
【００３４】
さらに、図９に示す小さいアイコンをダブルクリックすると、初期化のウィンドウ（図１０参照）は再び表示される。他の方法として、図１１に示すように、小さいアイコンにカーソルを移動して合わせた状態でマウスを右クリックをし、表示されたリストから[Show]を選択した場合も、同様に、初期化のウィンドウは再び表示される。再度、図１１に示すように、ユーザーがパブリックプログラム１２１を停止したい場合は、リストの[Exit]を押せばよい。
更に、１人のユーザーがキーディスクのプラグを直接引き抜くと、パブリックプログラムは直ちに停止され、終了する。
【００３５】
区画のページ
１人のユーザーが、少なくともデータディスク１１０をプライベートゾーン１１２とパブリックゾーン１１１に区画しようとする場合、まず、データディスク１１０とキーディスク１２０とを直列接続し、次に、データディスク１１０を一つのコンピュータに差込み、キーディスク１２０内のパブリックプログラムを自動的に実行させる。この時、データディスク１１０は、パブリックゾーン１１１のみを有する（つまり、区画されていない）、又は、すでに区画されているデータディスク１１０は、キーディスク１２０と同じグループに分類されている。上記方法の１つを用いて、ユーザーは、プライベートゾーンのサイズとパブリックゾーンのサイズとを再区画することができる。
【００３６】
図１２に、区画する手順を説明するために、それぞれ容量が９５５メガバイトの区画されていない２つのデータディスク（ＧとＨ）を示す。まず、フラッシュディスクのカスケード接続構造が１つのホストコンピュータ又は１つのノート型パソコンのＵＳＢポートに差し込まれると、アクティブになったパグリックプログラムのページが図１２に示すように表示される。プライベートゾーンは割り当てられてないので、データディスクのパブリックゾーンが表示されている。
【００３７】
図１３において、“マイコンピュータ”内のそれぞれのデータディスクは、リムーバブルディスクＧ，Ｈに相当し、パブリックプログラムによってこれら２つのディスクにそれぞれ与えられたアイコンが表示されている。それぞれの容量が９５５メガバイトである２つのディスクを示す図１４を参照すると、それぞれの容量はパブリックゾーンとして、ウィンドウズ（登録商標）・エクスプローラーのプロパティにおいて確保されている。
【００３８】
次に、パブリックプログラムによって切り替えられた区画用のページを表示する方法として、２つの方法がある。（１）図１５に示すように、初期化のページにて[設定]ボタンをクリックする。（２）図１６に示すように、システムトレイ上のパブリックプログラム１２１の小さいアイコンにカーソルを移動して合わせ、右クリックし、リスト中の[設定]をクリックする。
【００３９】
図１７に示すように、上述した区画に関する手順が、ページに表示されている。図形表示される本実施例において、第１データディスク（ドライブG：）と第２データディスク（ドライブＨ：）の両方は、１００％完全にパブリックゾーンで（９５５Ｍ）、データディスクのパブリックゾーンを表すテーブルの左側に、区切りバーを有する。
【００４０】
図１８に示すように、第１データディスク（ドライブG：）を、７００メガバイトのプライベートゾーンと２５５メガバイトのパブリックゾーンとに区画する場合、ユーザーは、マウスを押した状態で対応する区切りバーを右側へ調整し、そして、パブリックゾーンの横にある[Dock]ボタンを押して区画をアクティブとし、所望比の区画を得る。
【００４１】
図１９に示すように、区画を行う際に、データディスク中にある現在のファイルを消去する行為の是非をユーザーに再確認するために、システムによってダイアログボックスが表示される。データディスク１１０の区画は、[Cancel]ボタンを押すことにより取り消される、もしくは[OK]ボタンを押すことによりアクティブになる。
【００４２】
図２０に示すように、ユーザーが[OK]ボタンを押して区画を確認した場合、データディスク１１０はシステムによって区画される（初期化中）。図２１に示すように、区画が完了すると、「USBドライブが完全にドックされました」というメッセージと[OK]ボタンとが表示され、[OK]ボタンを押すと、メッセージウィンドウは閉じる。
【００４３】
図２２に示すように、他のデータディスクもまた、対応する区切りバーをドラッグして[Dock]ボタンをクリックすることにより、区画することができる。例えば、第２データディスク１１０（ドライブＨ：）のメモリ領域を、４００メガバイトのプライベートゾーンと、５５５メガバイトのパブリックゾーンとに区画することができる。更に、「パスワード追加」において、パスワードを設定することもできる。左上の角にある[X]ボタンを押すと、初期化のウィンドウに戻る。
【００４４】
その後、データディスク１１０とキーディスク１２０は直列に接続され、オペレーティングシステムにリンクされる。図２３に示すように、区画によって割り当てられたプライベートゾーンがそれぞれ異なる容量を有する（即ち、７００Ｍbytesと４００Ｍbytes）２つのデータディスク（ＧとＨ）が表示されている。
【００４５】
図２４は、１人のユーザーによってウィンドウズ（登録商標）・エクスプローラーで検索される２つのリムーバブルディスクの内容を例示する。キーディスクがカスケード接続されかつパブリックプログラムが有効になっているので、ユーザーは、エクスプローラーのプロパティに表示されている６６９ＭＢと３９９ＭＢのリムーバブルディスクのプライベートゾーンを、見ながら操作することができる。この時点において、データディスク内の操作対象は、キーディスクが取り外され又はパブリックプログラムが無効の場合は、パブリックゾーンに転送される。
【００４６】
図２５に示すように、ウィンドウズ（登録商標）・エクスプローラーのプロパティに表示されている２５５MBと５５５MBは、キーディスクが取り外された場合のリムーバブルディスクのパブリックゾーンである。即ち、機密ファイルと一般ファイルが、１人のユーザーによって、プライベートゾーンとパブリックゾーンにそれぞれ保存されることになる。アクセスが必要となるいかなる機密ファイルにアクセスする場合であっても、１つのデータディスク（リムーバブルディスク）を、そのデータディスクに対応するキーディスクに直列に接続する必要がある。
【００４７】
一方、このように接続しない場合は、単一のデータディスク（リムーバブルディスク）が１つのコンピュータにプラグ接続しても、ユーザーは、一般的ファイルのみしかアクセスできない。従って、キーディスクなしにプライベートゾーンに保存されているファイルを盗用しようとしても、不正ユーザーは、機密データにアクセスしたり、ブラウズすることができず、また、データディスク（リムーバブルディスク）中に隠されているプライベートゾーンの存在さえ全く知らないことになる。
【００４８】
図２６に示すように、現在カスケード接続されているキーディスクではないキーディスクを、プライベートゾーンとパブリックゾーンを有する第１データディスク（ドライG：）のセクタを区画するために使用しようとしても、「USBドライブがドックされていません」というメッセージが表示される。このように、セクタサイズはパブリックプログラム中では区画できず、システムによってデータディスク（ドライブG：）上にマークとして表示される灰色のアイコンは、区画は許可されないことを意味する。
【００４９】
この時点では、図２７に示すように、データディスク（ドライブG：）のパブリックゾーンのみが観察される。他のキーディスクに制御されている上記した第１データディスク（ドライブG：）を区画することが要求される場合、唯一の方法は、プライベートゾーンを有しない１００％パブリックゾーンとすべくデータディスク（ドライブG：）を削減するために使用される初期関係づけキーディスクを探すことである。このようにすることによって、データディスク（ドライブG：）はどのキーディスクともマッチできる。
【００５０】
図２８から図３０を参照して、データディスクの区画を調整する方法を説明する。図２８は区画されたシステムの一ページを表示している：第１データディスク（ドライブG：）は、パブリックゾーン（２５５M）とプライベートゾーン（７００M）に区画されている；第２データディスク（ドライブH：）はパブリックゾーン（５５５M）とプライベートゾーン（４００M）に区画されている。図２９に示すように、第１データディスク（ドライブG：）用の区切りバーが（６５５Mのパブリックゾーンを作成するために左側方向へ）ドラッグされているが、[Dock]ボタンは押されていない状態で他のデータディスク（ドライブH：）が直接クリックされた時、システムによってドライブGの（区切りバーがドラッグされる前の）初期状態に自動的に戻る。
【００５１】
図３０に示すように、第１データディスク（ドライブG：）のパブリックゾーンのサイズが自動的に２５５Mに調整されるので、１人のユーザーが不注意で区切りバーを動かすことによっていくつかのプライベートゾーンが失われるという問題を回避することができる。従って、一人のオペレータが区切りバーをドラッグしながら対応する[Dock]ボタンを押す動作が、データディスクの区画を実行するためには不可欠である。言い換えれば、プログラムによって区画されるデータディスクは毎回一つだけである。
【００５２】
暗号化：
１人のユーザーによってシステムに対して一つのパスワードが設定された後、パブリックプログラム１２１がアクティブになると、初期設定ウィンドウがログインウィンドウに切り替わる。１人のユーザーによってログインウィンドウに正しいパスワードが入力されると、ユーザーはシステムに入ることが許可される。正しいパスワードが入力されなければ、パブリックプログラム１２１のさまざまな機能の実行も、各データディスク１１０のプライベートゾーン１２０の利用も、共に不可となる。操作の詳細を以下に示す。
【００５３】
図３１に示すように、一つの「パスワード追加」のチェックボックスがウィンドウ中の一番下のブロックに表示され、ユーザーは、カーソルでこのチェックボックスをクリックする。次に、図３２に示すように、「元のパスワード」、「新パスワード」、「新パスワードの確認」、「パスワードヒント」の４つのフィールドがブロック中に上から順に表示される。１人のユーザーによってパスワードが新規に作成される場合、ユーザーは所望のパスワードを「新パスワード」フィールドに入力するだけでなく「新パスワードの確認」フィールドにも繰り返し入力し、両方のフィールドに同一のパスワードが入力されたことを確認しなければならない。
【００５４】
そしてユーザーが不注意で予め設定されたパスワードを忘れた場合、そのパスワードをユーザーに思い出させるために、ユーザーの好みと利便性に考慮したヒントを「パスワードヒント」に表示する。（このフィールドをブランクのままにしておくことは許可される）。すべての情報キーが入力した後、ユーザーは、すべてのデータを保存させるために[修正]ボタンが押されなければならない。「新パスワード」と「新パスワードの確認」の相違が検出された場合、１人のユーザーには、二つの異なるパスワードが入力されたことを示す「新パスワードが確認できませんでした」という警告メッセージがシステムから与えられる。その後、ユーザーは、新パスワードの正しさを確認するために、再度、新パスワードが入力しなければならない。
【００５５】
図３４に示すように、パスワードが首尾よく設定されると、パブリックプログラムがアクティブになり、「パスワード」と「パスワードヒント」を含むログインウィンドウが表示される。図３５に示すように、データディスク（リムーバブルディスク（G:)とリムーバブルディスク（H:)）にアクセスしようとする１人のユーザーが「マイコンピュータ」が開いた場合、ユーザーは、パブリックゾーンの中のファイルのみ見ることができる点に留意すべきである。
【００５６】
図３６に示すように、ユーザーは、データディスク（リムーバブルディスク（G:)とリムーバブルディスク（H:)）を調査するためにウィンドウズ（登録商標）・エクスプローラーのプロパティを使用することができる。ここで、データディスクG（リムーバブルディスク（G:) の容量とデータディスクH（リムーバブルディスク（H:)の容量とは、それぞれ２５５MBと５５５MBであり、図３２のデータディスク（ドライブGとドライブH）のパブリックゾーンの容量と完全に同じである。
【００５７】
図３７に示すように、１人のユーザーは、予め設定されたパスワードを思い出すため参照するチェックボックス「パスワードヒント」をチェックした後、ユーザーによって作成されていたヒントの文字列をチェックボックスの下に表示することができる。その後、ユーザーは、予め設定されたパスワードを「パスワード」フィールド中に入力し、[Login]ボタンをクリックすることで、ログインが完了する。
【００５８】
図３８に示すように、誤ったパスワードが入力された場合、システムは「パスワードが間違っています」というメッセージを画面に表示してその旨をユーザーに知らせる。この時点で、正しいパスワードを入力するためログインウィンドウに戻るためには、ユーザーは[戻る]ボタンが押下されなければならない。誤ったパスワードが三回続けて入力された場合には、パブリックプログラムは自動的に使用不可になる。
【００５９】
図３９に示すように、ユーザーは、パスワードをユーザーの所望する新しいパスワードに変更するために区画用のウィンドウを利用できる。新しく変更されたパスワードを保存するために[修正]ボタンをクリックするまえに、ユーザーは現在使用中のパスワードをウィンドウの一番下のブロックの「元のパスワード」フィールドに入力し、新しいパスワードを、システムが確認できるように「新パスワード」フィールドと「新パスワードの確認」フィールド両方に入力し、ユーザーの好みによって、オプショナルな新しいヒントの文字列を「パスワードヒント」フィールドに入力する。「元のパスワード」フィールドへの誤ったパスワードの入力が検出された場合、新しいパスワードの更新操作は利用不可能となり、「元のパスワードが間違っています」というメッセージが表示されて、システムは、１人のユーザーに元のパスワードが前に設定されたパスワードとマッチしていないことを知らせる。
【００６０】
このように、他のユーザーによってパスワードがランダムに変更されることによって引き起こされるユーザーの不安や不便は回避される。さらに、図４１に示すように、パスワード機能をキャンセルする方法は、元のパスワードを更新する操作と同様である。即ち、識別文字列として現在使用中のパスワードを他のフィールドではなくて「元のパスワード」フィールドに入力する必要があり、[削除]ボタンをクリックすることでパスワード機能がキャンセルされ、データディスクはどのパスワードによっても保護されない状態に戻る。パスワードが完全にキャンセルされたこの状態においては、パブリックプログラム１２１によってアクティブになったパスワードを入力する必要はない。
【００６１】
ディスクラベルのセットアップ：
本発明では、ウィンドウズ（登録商標）・エクスプローラーのデータディスク１１０の識別は、パブリックプログラム１２１によって各データディスク１１０に指定されかつマークされた固有のディスクラベルによって容易に行うことができる。初期化と区画を行うウィンドウにおいて、すべてのデータディスク１１０に対応するラベル入力フィールドが設けられている。データディスク１１０とカスケード接続されたキーディスク１２０が同じグループに分類されていてもいなくても、ひとつのディスクラベルがパブリックプログラム１２１の中のデータディスク１１０に指定されることに留意すべきである。
【００６２】
図４２に示すように、ラベル「データディスク１」が第１データディスク（G）に指定され、「マイコンピュータ」内の第２データディスク（H）にはラベルが付与されていないためにラベル「リムーバルディスク」が第２データディスクに指定されている。図４３に示すように、パブリックプログラムを初期化するウィンドウにおいて、ラベル「データディスク１」がデータディスク（G）の右側にマークで表示されており、データディスク（H）の右側には文字列がない（空白）。図４４に示す区画用のウィンドウでは、データディスク（ドライブ  G）の右側にラベル「データディスク１」が付与され、データディスク（ドライブ  H）の右側には文字列がない（空白）。
【００６３】
したがって、ラベルを更新したい１人のユーザーは、図４５に示すように、データディスク（GとH）のそれぞれに対してラベルを追加または変更するため、一つのラベルに対して所望のタイトル（英語アルファベットで１１文字（最大））をトップにあるラベル入力フィールドに入力し、その後、キーボード上の「エンターキー」を押す。この操作によって、「マイコンピュータ」内で、ラベル「データディスク１」が第１データディスク（G）にマークとして付与され、ラベル「データディスク２」がマークとして第２データディスク（H）に付与される。
【００６４】
最後に、図４６に示すように、それぞれのラベルの入力フィールドの右側に、「オープン・ファイル・エクスプローラー」という一のボタンが拡大アイコンとして表示される。データディスク（G）の右側のボタンが１人のユーザーによって押されると、画面上に設けた１つのウィンドウ「G: ＼」が表示されたウィンドウズ（登録商標）・エクスプローラーとして、データディスク（G）が開き、データディスク（G）の中のすべてのデータ、例えば、「deploy.rtf」、「deploy.txt」、「license.rtf」 等が表示される。
【００６５】
上述した開示と記載は、好適な実施例を例示及び説明するためなされたものであり、本発明を何ら限定するものではない。記述された好適な実施例の開示内容は本発明を制限するものではなく、実施例の簡単な改良例、変形例及び変容例は、本発明の範囲を逸脱することなく、当業者が行うことができるものである。
【図１】
2011034557.tif 000003
【図２】
2011034557.tif 000004
【図３】
2011034557.tif 000005
【図４】
2011034557.tif 000006
【図５】
2011034557.tif 000007
【図６】
2011034557.tif 000008
【図７】
2011034557.tif 000009
【図８】
2011034557.tif 000010
【図１０】
2011034557.tif 000011
【図１１】
2011034557.tif 000012
【図１２】
2011034557.tif 000013
【図１７】
2011034557.tif 000014
【図１９】
2011034557.tif 000015
【図２３】
2011034557.tif 000016
【図２６】
2011034557.tif 000017
【図３２】
2011034557.tif 000018
【図３３】
2011034557.tif 000019
【図３４】
2011034557.tif 000020
【図３８】
2011034557.tif 000021
【図４０】
2011034557.tif 000022
【図９】
2011034557.tif 000023
【図１３】
2011034557.tif 000024
【図１４】
2011034557.tif 000025
【図１５】
2011034557.tif 000026
【図１６】
2011034557.tif 000027
【図１８】
2011034557.tif 000028
【図２０】
2011034557.tif 000029
【図２１】
2011034557.tif 000030
【図２２】
2011034557.tif 000031
【図２４】
2011034557.tif 000032
【図２５】
2011034557.tif 000033
【図２７】
2011034557.tif 000034
【図２８】
2011034557.tif 000035
【図２９】
2011034557.tif 000036
【図３０】
2011034557.tif 000037
【図３１】
2011034557.tif 000038
【図３５】
2011034557.tif 000039
【図３６】
2011034557.tif 000040
【図３７】
2011034557.tif 000041
【図３９】
2011034557.tif 000042
【図４１】
2011034557.tif 000043
【図４２】
2011034557.tif 000044
【図４３】
2011034557.tif 000045
【図４４】
2011034557.tif 000046
【図４５】
2011034557.tif 000047
【図４６】
2011034557.tif 000048